(57)【要約】      （修正有）【課題】組立及び分解が簡単で、保管及び運搬に便利な折り畳みテーブルを提供する。【解決手段】天板１、少なくとも一つの折り畳み機構および一対の脚杆３からなる。折り畳み機構は、カバー本体２１、少なくとも一つの揺動嵌合ユニット２２および一対の固定座体２３からなる。固定座体２３は、脚杆３上に嵌合固定されている。カバー本体２１は、二つの固定座体２３の間に配置され、揺動嵌合ユニット２２は、カバー本体２１と固定座体２３との間に配置されている。カバー本体２１は、揺動嵌合ユニット２２および固定座体２３と結合固定することができる。揺動嵌合ユニット２２は、揺動片２２２が揺動し、特定の角度で嵌合固定することができる。揺動片２２２は、一方の端部が天板１の底部に結合固定している。折り畳み機構２内の揺動嵌合ユニット２２の揺動片２２２の嵌合位置が制御されることにより、天板１が揺動して折り畳まれる。【選択図】図１０
0003151941.tif 000002
【実用新案登録請求の範囲】
【請求項１】
天板、少なくとも一つの折り畳み機構および一対の脚杆からなる折り畳みテーブルであって、
前記折り畳み機構は、カバー本体、少なくとも一つの揺動嵌合ユニットおよび一対の固定座体からなり、前記固定座体は前記脚杆上に嵌合固定され、前記カバー本体は前記二つの固定座体の間に配置され、前記揺動嵌合ユニットは前記カバー本体と前記固定座体との間に配置され、前記カバー本体は前記揺動嵌合ユニットおよび前記固定座体と結合固定し、前記揺動嵌合ユニットは揺動片が揺動し、特定の角度で嵌合固定し、前記揺動片は一方の端部が前記天板の底部に結合固定していることを特徴とする折り畳みテーブル。
【請求項２】
前記揺動嵌合ユニットは、第１の固定座、前記揺動片、第２の固定座、嵌合ブロック、弾性デバイスおよび制御杆をさらに含み、
前記第１の固定座および前記揺動片には、固定孔がそれぞれ設けられ、前記揺動片は、前記第１の固定座と前記第２の固定座との間に配置され、前記揺動片と前記第１の固定座とが結合する側面に突出部が設けられ、前記揺動片上には、前記突出部より少し大きい貫通孔が設けられ、前記貫通孔は辺縁に少なくとも二つの第１の凹溝および第２の凹溝の少なくとも二つの溝を設け、前記第１の固定座および前記第２の固定座は相互に相対する側に、前記嵌合ブロックの形状に対応する凹孔が設け、前記凹孔の底面上に前記制御杆が挿入される貫通孔がそれぞれ設けられ、
前記第１の固定座と前記第２の固定座とが結合すると、前記嵌合ブロックが収納される空間が形成され、前記凹孔の頂端と、前記第２の固定座の設けた前記突出部上に被せられた前記揺動片の前記第１の凹溝および前記第２の凹溝の内縁とが組み合わさるため、前記嵌合ブロックが収納空間で移動し、前記嵌合ブロックは前記制御杆上に固定され、前記制御杆上に前記弾性デバイスが被せられ、前記弾性デバイスは前記嵌合ブロックと前記第１の固定座が設けた前記凹孔との中に位置し、前記カバー本体の二つの側端、および前記固定座体上で前記第１の固定座および前記揺動片の設けた前記固定孔に対応する位置に前記螺孔および前記固定孔がそれぞれ設けられ、前記固定座体上には、前記制御杆を貫通する貫通孔がさらに設けられていることを特徴とする請求項１に記載の折り畳みテーブル。
【請求項３】
前記突出部は、断面が円形であることを特徴とする請求項２に記載の折り畳みテーブル。
【請求項４】
前記制御杆は、外側の端部に嵌合されるボタンをさらに有することを特徴とする請求項２に記載の折り畳みテーブル。
【請求項５】
前記制御杆は、第１の制御杆、連結杆および第２の制御杆からなり、前記連結杆は前記第１の制御杆と前記第２の制御杆との間に位置し、両方の端部におねじが設けられ、前記第１の制御杆および前記第２の制御杆は前記連結杆に隣接する一方の端部に、前記連結杆上の前記おねじに固定される螺孔がそれぞれ設けられ、前記連結杆の前記おねじが貫通される貫通孔が前記嵌合ブロック上に設けられていることを特徴とする請求項２に記載の折り畳みテーブル。
【請求項６】
前記第１の制御杆は、もう一方の端部におねじが設け、前記ボタンの前記第１の制御杆と結合する側に前記おねじと組み合わさる螺孔が設けられていることを特徴とする請求項５に記載の折り畳みテーブル。
【請求項７】
前記第２の固定座は、前記突出部の外縁に凸ブロックを設け、
これに対応して、前記揺動片は前記第１の固定座の周縁に第３の凹溝を設け、前記第３の凹溝は幅が前記第１の凹溝および前記第２の凹溝に、前記第１の凹溝と前記第２の凹溝との間の距離を加えた長さであることを特徴とする請求項２に記載の折り畳みテーブル。
【請求項８】
前記弾性デバイスは、スプリングであることを特徴とする請求項２に記載の折り畳みテーブル。
【請求項９】
前記第２の固定座は、前記固定座体に近い一方の側に突出した位置決めブロックをさらに設け、これに対して、前記固定座体上の対応する位置に位置決め凹孔が設けられていることを特徴とする請求項２に記載の折り畳みテーブル。
【請求項１０】
前記揺動嵌合ユニットは、嵌合位置決めを行うが、折り畳みテーブルの両方の側部に同時に設けてもよいことを特徴とする請求項１に記載の折り畳みテーブル。
【考案の詳細な説明】
【技術分野】
【０００１】
本考案は、折り畳みテーブルに関し、特に、モジュール化した折り畳み機構で、異なる構造の脚杆を組み合わせ、動作機構が折り畳み機構内に隠される折り畳みテーブルに関する。
【背景技術】
【０００２】
折り畳みテーブルは、家具において、構造が複雑で、価格も高いが、折り畳むことによりスペースを取らないため、収納に便利である。そのため、市場において、ある程度の需要がある。現在、市販されている折り畳みテーブルは、ユーザの需要を満たすため、様々な構造がある。以下、従来技術を図面に基づいて説明する。図１を参照する。
図１は、従来技術による折り畳みテーブルを示す斜視図である。図１に示すように、価格が安く、よく見かける折り畳みテーブルＡは、天板Ｂおよび折り畳み可能な脚杆Ｃからなる。折り畳みテーブルＡは、構造が簡単で、迅速に折り畳むことができるが、脚杆Ｃには、固定に関する安全構造が何も設けられていない。つまり、折り畳みテーブルＡは、使用時において、「折り畳み状態が不安定」な状態にある。例えば、幼児が天板Ｂ上の折り畳まれる側に上がったり、不注意で脚杆Ｃにぶつかったりすると、折り畳みテーブルＡが急に揺動して折り畳まれ、軽い場合は、脚杆Ｃに挟まれたり、ぶつかったりするだけで済むが、運が悪いと、挟まれた幼児が窒息して死亡してしまうことさえある。
【０００３】
上記の短所を解決するため、固定構造を有する折り畳みテーブルが発売された。不安定な折り畳み状態は、解消されたものの、支持または係止構造が外部に露になり、外観の美観を損ねるだけでなく、折り畳みの過程で、動作構造に移動が起こるため、不注意で挟まれる恐れがある。また、従来の折り畳みテーブルは、天板および脚杆がそれぞれ固定させなければならず、部品が多く、組立および分解が複雑なため、運送および組立に不便であった。
【先行技術文献】
【特許文献】
【０００４】
【特許文献１】特開２００９−１７９６８号公報
【考案の概要】
【考案が解決しようとする課題】
【０００５】
本考案の第１の目的は、折り畳み機構がモジュール化されることにより、組立および分解がさらに簡単になり、保管および運搬に便利な折り畳みテーブルを提供することにある。
本考案の第２の目的は、折り畳み機構がモジュール化され、独立したユニットになることにより、折り畳みおよび展開における安全性が向上する折り畳みテーブルを提供することにある。
本考案の第３の目的は、折り畳み機構がモジュール化され、独立したユニットになることにより、全体の外観が簡潔で美しくになり、商品としての質感および価値を向上させる  折り畳みテーブルを提供することにある。
本考案の第４の目的は、折り畳み機構がモジュール化され、独立したユニットになることにより、異なる構造の脚杆を組み合わせるバラエティ溢れる折り畳みテーブルを提供することにある。
本考案の第５の目的は、折り畳み機構がテーブルの片側または両側に設けられ、制御杆によりどちらの側でも揺動を操作する折り畳みテーブルを提供することにある。
【０００６】
上述の目的を達成するため、本考案は、折り畳みテーブルを提供する。本考案の折り畳みテーブルは、天板、少なくとも一つの折り畳み機構および一対の脚杆からなる。折り畳み機構は、カバー本体、少なくとも一つの揺動嵌合ユニットおよび一対の固定座体からなる。固定座体は、脚杆上に嵌合固定されている。カバー本体は、二つの固定座体の間に配置され、揺動嵌合ユニットは、カバー本体と固定座体との間に配置されている。カバー本体は、揺動嵌合ユニットおよび固定座体と結合固定することができる。揺動嵌合ユニットは、揺動片が揺動し、特定の角度で嵌合固定することができる。揺動片は、一方の端部が天板の底部に結合固定している。折り畳み機構内の揺動嵌合ユニットの揺動片の嵌合位置が制御されることにより、天板が揺動して折り畳まれる。
【考案の効果】
【０００７】
本考案の折り畳みテーブルは、折り畳み機構がモジュール化され、独立したユニットになることにより、以下の五つの長所を有する。１、組立および分解がさらに簡単になり、保管および運搬における利便性を向上させることができる。２、折り畳みおよび展開における安全性を向上させることができる。３、外観が美しくなり、商品としての質感および価値を向上させることができる。４、異なる構造の脚杆を組み合わせる変化を持たせることができる。５、折り畳み機構がテーブルの片側または両側に設けられ、制御杆によりどちらの側でも揺動を操作することができる。
【図面の簡単な説明】
【０００８】
【図１】従来技術による折り畳みテーブルを示す斜視図である。
【図２】本考案の一実施形態による折り畳みテーブルを示す分解斜視図である。
【図３】本考案の一実施形態による折り畳みテーブルを示す斜視図である。
【図４】テーブルが開いた状態における図３の揺動嵌合ユニットのＡ−Ａ断面      を示す断面図である。
【図５】テーブルが開いた状態における図３の揺動嵌合ユニットのＢ−Ｂ断面      を示す断面図である。
【図６】テーブルの揺動状態における図３の揺動嵌合ユニットのＡ−Ａ断面を      示す断面図である。
【図７】テーブルの揺動状態における図３の揺動嵌合ユニットのＢ−Ｂ断面を      示す断面図である。
【図８】テーブルが折り畳まれた状態における図３の揺動嵌合ユニットのＡ−      Ａ断面を示す断面図である。
【図９】テーブルが折り畳まれた状態における図３の揺動嵌合ユニットのＢ−      Ｂ断面を示す断面図である。
【図１０】本考案の一実施形態による折り畳みテーブルを示す分解斜視図であ      る。
【図１１】本考案の一実施形態による折り畳みテーブルの開いた状態を示す斜      視図である。
【図１２】本考案の一実施形態による折り畳みテーブルの折り畳まれた状態を      示す斜視図である。
【図１３】本考案のもう一つの実施形態による折り畳みテーブルを示す斜視図      である。
【図１４】本考案のもう一つの実施形態による折り畳みテーブルを示す分解斜      視図である。
【図１５】折り畳みテーブルの制御杆を示す斜視図である。
【図１６】本考案のもう一つの実施形態による折り畳みテーブルの制御杆を示      す分解斜視図である。
【考案を実施するための形態】
【０００９】
以下、本考案の実施形態を図面に基づいて説明する。図２、図３および図１０を参照する。図２は、本考案の一実施形態による折り畳みテーブルを示す分解斜視図である。図３は、本考案の一実施形態による折り畳みテーブルを示す斜視図である。図１０は、本考案の一実施形態による折り畳みテーブルを示す分解斜視図である。
図２、図３および図１０に示すように、本考案の折り畳みテーブルは、天板１、少なくとも一つの折り畳み機構２および一対の脚杆３からなる。折り畳み機構２は、カバー本体２１、少なくとも一つの揺動嵌合ユニット２２および一対の固定座体２３からなる。固定座体２３は、脚杆３上に嵌合固定されている。カバー本体２１は、二つの固定座体２３の間に配置され、揺動嵌合ユニット２２は、カバー本体２１と固定座体２３との間に配置されている。カバー本体２１は、揺動嵌合ユニット２２および固定座体２３と結合固定することができる。
揺動嵌合ユニット２２は、揺動片２２２が揺動し、特定の角度で嵌合固定することができる。揺動片２２２は、一方の端部が天板１の底部に結合固定している。折り畳み機構２内の揺動嵌合ユニット２２の揺動片２２２の嵌合位置が制御されることにより、天板１が揺動して折り畳まれる。
【００１０】
以下、詳細に実施形態の折り畳み機構を説明する。揺動嵌合ユニット２２は、第１の固定座２２１、揺動片２２２、第２の固定座２２３、嵌合ブロック２２４、弾性デバイス２２５および制御杆２２６(図１６を参照)をさらに含む。第１の固定座２２１および揺動片２２２には、固定孔２２１１、２２３１がそれぞれ設けられ、揺動片２２２は、第１の固定座２２１と第２の固定座２２３との間に配置され、揺動片２２２と第１の固定座２２１とが結合する側面に断面が円形の突出部２２３２が設けられている。
揺動片２２２上には、突出部２２３２より少し大きい貫通孔２２２１が設けられている。貫通孔２２２１は、辺縁に少なくとも二つの第１の凹溝２２２２および第２の凹溝２２２３の少なくとも二つの溝を設けている。また、第１の固定座２２１および第２の固定座２２３は、相互に相対する側に、嵌合ブロック２２４の形状に対応する凹孔２２１２、２２３３が設けられている。凹孔２２１２、２２３３の底面上に制御杆２２６が挿入される貫通孔２２１３がそれぞれ設けられ、第１の固定座２２１と第２の固定座２２３とが結合すると、嵌合ブロック２２４が収納される空間が形成される。凹孔２２１２、２２３３の頂端と、第２の固定座２２３の設けた突出部２２３２上に被せられた揺動片２２２の第１の凹溝２２２２、第２の凹溝２２２３の内縁が組み合わさるため、嵌合ブロック２２４が収納空間で移動することができる。
嵌合ブロック２２４は、制御杆２２６上に固定することができる。制御杆２２６上に弾性デバイス２２５が被せられ、弾性デバイス２２５は、嵌合ブロック２２４と第１の固定座２２１が設けた凹孔２２１２との中に位置する。弾性デバイスは、スプリングでもよい。また、カバー本体２１の二つの側端、および固定座体２３上で第１の固定座２２１および揺動片２２２の設けた固定孔２２１１、２２３１に対応する位置に螺孔２１１および固定孔２３１がそれぞれ設けられている。固定座体２３上には、制御杆２２６を貫通する貫通孔２３２がさらに設けられている。
【００１１】
以上の構造により、組立において、まず、弾性デバイス２２５が制御杆２２６上の嵌合ブロック２２４および第１の固定座２２１が接触する側に被せられ、次に、制御杆２２６の一方の端部が第１の固定座２２１の凹孔２２１２の底面の貫通孔２２１３を貫通させられると、弾性デバイス２２５の両方の端部が凹孔２２１２の底面および嵌合ブロック２２４にそれぞれ接触して支える。それから、揺動片２２２が貫通孔２２２１により位置決め凹孔２３３の突出部２２３２に嵌合され、ネジ４が固定座体２３上に設けられた固定孔２３１から順番に第２の固定座２２３の２３３１、第１の固定座２２１の固定孔２２１１とそれぞれ貫通して、カバー本体２１上に設けられた螺孔２１１に固定される。制御杆２２６の外側が固定座体２３に設けられた貫通孔２３２を貫通して延伸する。
【００１２】
図４〜９を参照する。図４は、テーブルが開いた状態における図３の揺動嵌合ユニットのＡ−Ａ断面を示す断面図である。図５は、テーブルが開いた状態における図３の揺動嵌合ユニットのＢ−Ｂ断面を示す断面図である。図６は、テーブルの揺動状態における図３の揺動嵌合ユニットのＡ−Ａ断面を示す断面図である。図７は、テーブルの揺動状態における図３の揺動嵌合ユニットのＢ−Ｂ断面を示す断面図である。図８は、テーブルが折り畳まれた状態における図３の揺動嵌合ユニットのＡ−Ａ断面を示す断面図である。
図９は、テーブルが折り畳まれた状態における図３の揺動嵌合ユニットのＢ−Ｂ断面を示す断面図である。
図４に示すように、嵌合ブロック２２４は、下部が揺動片２２２の第１の凹溝２２２２に嵌合し、その他の部分が第２の固定座２２３の凹孔２２３３内に位置している。そのため、嵌合ブロック２２４により揺動片２２２が回転するのが防止される。
図７に示すように、天板１の位置が調節される時は、固定座体２３の貫通孔２３２(図２参照)から突出した制御杆２２６が外側から押されると、制御杆２２６および制御杆２２６上に固定された嵌合ブロック２２４が内側に移動し、制御杆２２６上で嵌合ブロック２２４と第１の固定座２２１の凹孔２２１２との間に位置する弾性デバイス２２５が圧縮され、嵌合ブロック２２４が第１の固定座２２１上に設けられた凹孔２２１２(図２参照)内に進入する。この時、揺動片２２２と第２の固定座２２３の突出部２２３２との間には、揺動片２２２の揺動を妨げるものがなく、揺動嵌合ユニットが解除された状態である。
そのため、揺動片２２２は、自身が揺動すると同時に、揺動片２２２自体が固定する天板１をも連動して揺動させる。その際、弾性デバイス２２５は、自身の弾性により嵌合ブロック２２４および制御杆２２６を外側に押し続ける力を持続する。図８に示すように、揺動片２２２が第２の凹溝２２２３の対応する位置決め凹孔２３３の凹孔２２３３の位置に来る時まで引き続き揺動すると、嵌合ブロック２２４が弾性デバイス２２５の弾性により第２の固定座２２３に設けられた凹孔２２３３内に押し戻される。その際、嵌合ブロック２２４は、第２の固定座２２３に設けられた凹孔２２３３と揺動片２２２の第２の凹溝２２２３との中に同時に位置するため、揺動片２２２の揺動が妨げられる。これにより、段階的自動位置決めが行われる。その際、揺動嵌合ユニット２２上に固定された天板１は、折り畳まれた状態を呈する。
【００１３】
本実施形態による嵌合および解除機構をモジュール化した独立の折り畳み機構２は、組立および分解が迅速に行えるだけにとどまらず、分解後、部品が散乱して無くなってしまうなどの心配もない。
本来、折り畳み機構２の組立および分解を行うの際、揺動嵌合ユニット２２を分解する必要がない。天板１と折り畳み機構２内の揺動片２２２との間にあるネジを外すことと、脚杆３を固定座体２３から外すことを行えばよいのである。そのため、すべての組立および分解に特別な技能が必要なく、ユーザがドライバなどの簡単な工具を使用することにより、組立を完了することができる。そのため、ＤＩＹにより組立を行うことができるため、ユーザが組立に悩まされるという短所を解決することができる。また、保管および運送において便利である。
【００１４】
本実施形態による折り畳み機構２は、嵌合および解除機構を内部に完全に包み込む構造であるため、解除による揺動または自動嵌合の過程においても、すべてのデバイスは折り畳み機構２内に隠された状態になっている。そのため、折り畳み機構２は、操作される動作が安全である。また、内部に配置された構造が水気の滲入または外部から力が加わることによる破損を防止するため、耐久性に優れている。
さらに重要なのは、本実施形態が動作デバイスを内部に完全に包み込む構造で、本実施形態による折り畳みテーブルの外観が簡単であるため、従来の折り畳みテーブルが様々なデバイスを外部に露にされていた状態と異なり、質感が向上し、高級家具の部類になり、商品価値を高めることができることである。
【００１５】
嵌合および解除機構をモジュール化した折り畳み機構２は、組立および分解が迅速に行えるだけにとどまらず、脚杆３に組み合わせる固定座体２３下部の形状を変えるだけで、異なるデザインの足と組み合わせることができる。異なるデザインまたは構造のテーブル面または足と組み合わせると、使用範囲を広げることができ、各種異なる外観にすることができる。
【００１６】
本実施形態による制御杆２２６は、外側にボタン５をさらに有する。制御杆２２６上にボタン５が嵌合されると、制御杆２２６を押すの便利で、見た目にも美しい。
【００１７】
図１０は、本考案の一実施形態による折り畳みテーブルを示す分解斜視図である。  図１１は、本考案の一実施形態による折り畳みテーブルの開いた状態を示す斜視図である。図１２は、本考案の一実施形態による折り畳みテーブルの折り畳まれた状態を示す斜視図である。図１３は、本考案のもう一つの実施形態による折り畳みテーブルを示す斜視図である。図１４は、本考案のもう一つの実施形態による折り畳みテーブルを示す分解斜視図である。図１５は、折り畳みテーブルの制御杆を示す斜視図である。図１６は、本考案のもう一つの実施形態による折り畳みテーブルの制御杆を示す分解斜視図である。図１０〜１６に示すように、制御杆２２６は、長い棒状の構造で、組立および分解に適するように、少なくとも一つの嵌合ブロック２２４が固定されていてもよい。
【００１８】
図１０において、簡易な組立および分解構造を示したが、これ以外に、外観を考慮すると、脚杆３上に異なる構造の装飾部６を設けることにより外観を美化する構造（図１３参照）もある。しかし、装飾部６の組立および分解における利便性を考量すると、図１４に示すように、固定座体２３、脚杆３および装飾部６を一つのユニットとし、折り畳み機構２および脚杆３と区別して第３の主要ユニットとすることができる。
【００１９】
図１４に示した組立および分解に適するように、制御杆２２６は、少なくとも第１の制御杆２２６１、連結杆２２６２および第２の制御杆２２６３の三部分からなるようにしても良い（図９参照）。連結杆２２６２は、第１の制御杆２２６１と第２の制御杆２２６３との間に位置し、両方の端部におねじ２２６４が設けられている。第１の制御杆２２６１および第２の制御杆２２６３は、連結杆２２６２に隣接する一方の端部に、連結杆２２６２上のおねじ２２６４に固定される螺孔２２６５がそれぞれ設けられている。連結杆２２６２のおねじ２２６４が貫通される貫通孔２２４１が嵌合ブロック２２４上に設けられている。第１の制御杆２２６１のもう一方の端部におねじ２２６６が設けられ、ボタン５は、第１の制御杆２２６１と結合する側におねじ２２６６と組み合わさる螺孔５１（図１４参照）を設けている。
以上の構造により、制御杆２２６および嵌合ブロック２２４を組み合わせる際、まず、連結杆２２６２のおねじ２２６４が嵌合ブロック２２４の貫通孔２２４１に貫通された後、第２の制御杆２２６３の螺孔２２６５に固定されることにより嵌合ブロック２２４が制御杆２２６上に固定される。次に、第１の制御杆２２６１が連結杆２２６２に固定され、ボタン５上に設けられた螺孔５１により、第１の制御杆２２６１の外端に設けられたおねじ２２６６とボタン５とが固定される。
【００２０】
嵌合位置決めを担う揺動嵌合ユニット２２は、折り畳みテーブルの片側に設けられても良い。また、テーブルのどちら側から押されても嵌合が解除されて揺動するように、折り畳みテーブルの両側に設けられても良い。
【００２１】
本実施形態による第２の固定座２２３は、突出部２２３２の外縁に凸ブロック２２３４をさらに設けている。これに対応して、揺動片２２２は、第１の固定座２２１の周縁に第３の凹溝２２２４を設けている。第３の凹溝２２２４は、幅が第１の凹溝２２２２および第２の凹溝２２２３に、第１の凹溝２２２２と第２の凹溝２２２３との間の距離を加えた長さである。凸ブロック２２３４および凹溝２２２４の配置により揺動片２２２が第２の固定座２２３の突出部２２３２上における揺動の角度および方向を限定する。
【００２２】
第２の固定座２２３は、固定座体２３に近い一方の側に突出した位置決めブロック２２３５をさらに設けている。これに対して、固定座体２３の対応する位置に位置決め凹孔２３３が設けられている。位置決めブロック２２３５および位置決め凹孔２３３により、位置決め凹孔２３３と固定座体２３とが結合した際、両者がそれぞれ有する固定孔２２３１、２３１が迅速に位置決めを行い、ネジ４により固定孔２２３１、２３１が貫通されて固定される。
【００２３】
本実施形態による折り畳みテーブルは、少なくとも一つの折り畳み機構２があれば、基本的な揺動自動嵌合位置決めが行われる。しかし、図１０に示すように、折り畳み機構２が二つある場合、二つの折り畳み機構２の間にある制御杆２２６が両者を連結しているため、どちら側の折り畳み機構２が操作されても嵌合解除または揺動自動嵌合位置決めが行われる。
【００２４】
本考案では好適な実施形態を前述の通りに開示したが、これらは決して本考案を限定するものではなく、当該技術を熟知する者は誰でも、本考案の精神と領域を脱しない範囲内で各種の変更や修正を加えることができる。
【符号の説明】
【００２５】
１  天板
２  折り畳み機構
３  脚杆
４  ネジ
５  ボタン
６  装飾部
２１  カバー本体
２２  揺動嵌合ユニット
２３  固定座体
５１  螺孔
２１１  螺孔
２２１  第１の固定座
２２２  揺動片
２２３  第２の固定座
２２４  嵌合ブロック
２２５  弾性デバイス
２２６  制御杆
２３１  固定孔
２３２  貫通孔
２３３  位置決め凹孔
２２１１  固定孔
２２１２  凹孔
２２１３  貫通孔
２２２１  貫通孔
２２２２  第１の凹溝
２２２３  第２の凹溝
２２２４  第３の凹溝
２２３１  固定孔
２２３２  突出部
２２３３  凹孔
２２３４  凸ブロック
２２３５  位置決めブロック
２２４１  貫通孔
２２６１  第１の制御杆
２２６２  連結杆
２２６３  第２の制御杆
２２６４  おねじ
２２６５  螺孔
２２６６  おねじ
【図１】
0003151941.tif 000003
【図２】
0003151941.tif 000004
【図３】
0003151941.tif 000005
【図４】
0003151941.tif 000006
【図５】
0003151941.tif 000007
【図６】
0003151941.tif 000008
【図７】
0003151941.tif 000009
【図８】
0003151941.tif 000010
【図９】
0003151941.tif 000011
【図１０】
0003151941.tif 000012
【図１１】
0003151941.tif 000013
【図１２】
0003151941.tif 000014
【図１３】
0003151941.tif 000015
【図１４】
0003151941.tif 000016
【図１５】
0003151941.tif 000017
【図１６】
0003151941.tif 000018